(57)【特許請求の範囲】
【請求項１】
引き出し式収納庫の各引き出しの前板内部の中央部上下端近傍にそれぞれ中間部を前後回動可能に支持された水平の１対の引き手レバーと、前記前板の前方中央に位置し且つ該前板との間に隙間を隔てて前記上下引き手レバーの先端同士を連結する垂直の引き手と、前記前板内部に水平に支持されて前記引き手レバー後端側の揺動に連動して回転し引き出しの左右端近傍に亘る従動軸と、前記従動軸の回転に連動して左右揺動可能に引き出しの左右側板部近傍に支持された揺動ラッチ片と、収納庫側壁の内面に設けられ前記揺動ラッチ片と係合する係止部材の側に向け揺動ラッチ片を付勢する付勢手段とを有してなる、引き出し式収納庫の引き手機構。
【請求項２】
前記引き手の上下端部を除く中間部を、水平断面が前端を底辺とする略２等辺三角形になるように形成するとともに、該引き手の上下端を引き手レバーの先端にそれぞれ固着してなる、請求項１に記載の引き出し式収納庫の引き手機構。
【請求項３】
引き出し前板の引き手が位置する部分の前面に、側面が後方傾斜する垂直の凹部を前板の上下端近傍に亘って形成し、引き手の後端側の一部が前記凹部に没する形態で引き手を取り付けてなる、請求項１または２に記載の引き出し式収納庫の引き手機構。
【請求項４】
前記引き手レバーは、互いの後端同士を垂直の連結バーで連結するとともに、前記従動軸は、両端が水平の軸部の中間にクランク部を有し且つ両軸端にそれぞれ前記軸部にほぼ直交する鉤状部をそれぞれ有してなり、前記クランク部が前記引き手レバーの連結バーと当接して前記引き手操作時の連結バーの前後揺動に伴って従動軸が回転する様に支持する一方、前記揺動ラッチ片には揺動支持部材から側方に突出する操作レバーを設け、該操作レバーに前記従動軸の鉤状部が当接して従動軸の回転に応じて揺動ラッチ片が左右揺動するようにしてなる、請求項１から３のいずれかに記載の引き出し式収納庫の引き手機構。
【発明の詳細な説明】
【０００１】
【発明の属する技術分野】
本発明は、引き出し式収納庫の引き手の技術に係わり、更に詳しくは、引き出し式収納庫の各引き出しの前板前方の中央に位置し且つ該前板との間に隙間を隔てて前方への回動が可能に上下端部が支持された垂直の引き手と、該引き手の操作に連動作動するラッチ機構とを備え、引き手の高さ方向の任意の位置に手を掛けて左右いずれかの片手で操作可能な引き手の構造に関する。
【０００２】
【従来の技術】
従来の横長の引き出し式収納庫の引き手は、水平の引き手を引き出し前板の左右に１対設けた形態である。この従来の横長の引き出し式収納庫の引き手は、両手で操作するものであり片手では操作することができない。また、下方の引き出しを引き出す場合は体をかがめて引き出す必要があり、上方の引き出しを引き出す場合は低い身長の人にはやや困難が伴うなどの不便さがある。また、片手に物を持つなどして両手が自在に使えないときや片手が不自由な身体障害者には前記のような横長の引き出しの引き出し操作ができないといった不便があった。
【０００３】
一方、横長の引き出し式収納庫の例えば上段に両開き扉付きの収納庫を積み重ねる場合で、該上段の収納庫が、本願出願人が開発した両開き扉のめし合わせ部のほぼ全域を覆う垂直の引き手を備えた両開き扉付き収納庫であるといった場合は、上段収納庫の引き手が収納庫の上下端に亘る垂直の引き手であるのに対し、下段収納庫の引き出しの引き手が水平で左右に離れて１対設けられた形態となり、上下の収納庫が不調和の外観を呈し違和感を感じさせる。このような場合は、下段収納庫の引き出しの引き手を上段の引き手に合わせ、引き出しの前板中央に引き出しの上下端部近傍に亘る垂直の引き手として、上下段収納庫のそれぞれの引き手が一直線に連なって並ぶ形態にすると、外観が統一した意匠的美観を創出でき、且つ、片手で引き出しの出し入れ操作が可能となる。なお、引き出し式収納庫の引き手を前記の垂直形態にする場合、引き出し左右のラッチ機構の係合を引き手の操作に連動して解除する機構にする必要がある。
【０００４】
【発明が解決しようとする課題】
前述の状況に鑑み本発明が解決しようとするところは引き出し式収納庫の引き出しの引き手であって、前記収納庫と両開き扉のめし合わせ部のほぼ全域を覆う垂直の引き手を備えた両開き扉付き収納庫を積み重ねる場合、前記双方の収納庫のそれぞれの引き手が中央で垂直一直線に並ぶ新しい統一美を創出するような、引き出し式収納庫用の引き手機構を提供することにある。また本発明が解決しようとする他の課題は、横長の引き出し式収納庫の各引き出しの中央に、引き出しの前板上下端近傍に亘る垂直の引き手を設け、人の身長や引き出しの高さに応じ引き手の上下方向のどの位置を掴んで引いても引き出しの左右に設けたラッチ機構が正確に連動し、また、左右いずれの手を用いて片手で容易に引き出しを引き出すことができる引き手機構を提供することにある。
【０００５】
【課題を解決するための手段】
前述の課題解決のため、本発明の引き出し式収納庫の引き手機構は、引き出し式収納庫の各引き出しの前板内部の中央部上下端近傍にそれぞれ中間部を前後回動可能に支持された水平の１対の引き手レバーと、前記前板の前方中央に位置し且つ該前板との間に隙間を隔てて前記上下引き手レバーの先端同士を連結する垂直の引き手と、前記前板内部に水平に支持されて前記引き手レバー後端側の揺動に連動して回転し引き出しの左右端近傍に亘る従動軸と、前記従動軸の回転に連動して左右揺動可能に引き出しの左右側板部近傍に支持された揺動ラッチ片と、収納庫側壁の内面に設けられ前記揺動ラッチ片と係合する係止部材の側に向け揺動ラッチ片を付勢する付勢手段とを有する構成とする。
【０００６】
なお、上記の引き手は、上下端部を除く中間部を、水平断面が前端を底辺とする略２等辺三角形になるように形成するとともに、該引き手の上下端を引き手レバーの先端にそれぞれ固着すると都合がよい。或いは更に、引き出し前板の引き手が位置する部分の前面に、側面が後方傾斜する垂直の凹部を前板の上下端近傍に亘って形成し、引き手の後端側の一部が前記凹部に没する形態で引き手を取り付けると一層都合がよい。
【０００７】
上記の構成の引き手機構は、複数段の横長の引き出しを有する収納庫の各引き出しの引き手が、中央に垂直一直線上に配列され、意匠的美観が創出されるとともに、人の身長や引き出しの高さに応じ、引き手の上下方向の適宜の位置を掴んで引いても左右のラッチ機構が連動して解除され引き出しを引き出すことができるとともに、左右いずれの手でも片手で操作が行える斬新な引き手機構となる。
【０００８】
また、上記引き出し式収納庫の引き手機構において、引き手レバーは、互いの後端同士を垂直の連結バーで連結するとともに、従動軸は、両端が水平の軸部の中間にクランク部を有し且つ両軸端にそれぞれ前記軸部にほぼ直交する鉤状部をそれぞれ有してなり、前記クランク部が前記引き手レバーの連結バーと当接して引き手操作時の連結バーの前後揺動に伴って従動軸が回転する様に支持する一方、揺動ラッチ片には揺動支持部材から側方に突出する操作レバーを設け、該操作レバーに前記従動軸の鉤状部が当接して従動軸の回転に応じて揺動ラッチ片が左右揺動するようにすると好都合である。これにより、引き手の上下方向のどの位置を引いても、左右のラッチ機構が互いに正確に同期作動し、且つ、左右の揺動ラッチ片に付勢力が均等に作用して作動を安定させることができる。
【０００９】
【発明の実施の形態】
つぎに本発明の実施の形態を添付図面に基づき詳細に説明するが、本発明は、添付図面に示された形態に限定されず特許請求の範囲に記載の要件を満たす実施形態の全てを含むものである。図１は、本発明に係る引き手機構を備えた引き出し式収納庫の全体斜視図を示す。図２〜図５は、本発明に係る引き出し式収納庫の引き手機構の実施例の上端側を示す部分図で、図２は側面から見た状態で図３のＢ−Ｂ矢線に沿う断面、また図３は上方から見た状態で図２のＡ−Ａ矢線に沿う断面、図４は前板内部の従動軸部を正面から見た状態で図２の左方から見た図、図５は各構成部材を展開した斜視図をそれぞれ示している。そして図６には、図１に示す収納庫、およびその引き出しに備えた引き手と同形態の引き手を備えた両開き扉を備えた収納庫を、上下に積み重ねた際の外観を参考に示す。
【００１０】
図において、引き出し式収納庫１は、横長の直方体の筐体１ａの内部の両側にそれぞれ前後方向水平に３段のレール（図示しない）を備え、その各レールに沿って前後移動可能に収納支持された３個（数は限定しない）の引き出し３，３，３を有し、各引き出し３は前後移動行程の前端にストッパ機構（図示しない）を備えている。そして、各引き出し３の前板３ａの中央には、本発明に係る引き手機構５の引き手６がそれぞれ設けられ、該引き手機構の引き手６は、疋田ｓじ３の前板３ａのほぼ上下端に亘る垂直の部材で構成されている。
【００１１】
引き手機構５は、引き出し３の前板３ａの表板３ｂと裏板３ｃとで囲まれた内部空間の中央部上下端近傍にそれぞれ中間部を限定的に前後回動可能に支持された水平の１対の引き手レバー８，８と、前板３ａの前方中央に位置し且つ前板３ａとの間に隙間を隔てて上下引き手レバー８，８の先端同士を連結する垂直の引き手６と、前板３ａの前記内部空間に水平に支持されて引き手レバー８，８の後端側の揺動に連動して回転し且つ引き出しの左右端近傍に亘る従動軸１５と、前板３ａ裏側の引き出し左右側板３ｄ，３ｄの外側に支持され且つ従動軸１５の回転に連動して左右揺動可能な揺動ラッチ片２５，２５と、筐体１ａの側壁内板１ｂに設けられ且つラッチ片２５，２５先端にそれぞれ形成されたラッチ係合部２６，２６と係合するラッチ爪２，２と、ラッチ爪２，２の側に向け揺動ラッチ片２５，２５先端を回動付勢する付勢バネ２０，２０とを有する構成からなる。
【００１２】
引き手レバー８，８は、互いの後端同士を垂直の連結バー９で連結する。そして各引き手レバー８は、中間部に形成した貫通孔８ａの部分を、前板３ａの内部に設けた引き手支持部材１０に対しピン１１（図３，図５参照）により前後に限定的に回動可能に支持する。従動軸１５は、両端が水平の軸部の中間に斜め下方に向けて突出形成（図示の例では軸部中間部を折り曲げて形成）したクランク部１７を有し、且つ前記軸部両端にそれぞれ該軸部にほぼ直交する鉤状部１８，１８をそれぞれ有してなる。そして、クランク部１７を引き手レバー８，８の連結バー９の後端面に当接させ、引き手６を操作した時の連結バー９の前後揺動に伴って従動軸１５が回転するように、前板３ａの内部空間に固設した複数の軸支持部材１６で支持する。
【００１３】
揺動ラッチ片２５，２５は、前板３ａの裏板３ｃに貫通形成した係止穴２３に装着係止されたバネ支持枠２１に対し、該バネ支持枠に回転可能に装着した垂直の支軸２７，２７により、支軸２７との相対的回転が規制され且つ先端部が左右揺動可能に固定支持する。各揺動ラッチ片２５の支軸２７は、バネ支持枠２１から上方に突き出た部分をバネ支持枠２１と干渉しない様な形状でＵ字状に下方垂直に曲げ、更にその端部を互いに内方に向けほぼ水平に曲げて形成した操作レバー２８を有する。該操作レバー２８，２８には、従動軸１５の鉤状部１８，１８をそれぞれ当接させ、従動軸１５が回転するとそれに伴って揺動ラッチ片２５，２５が左右方向に揺動するように構成する。なお、バネ支持枠２１内部の支軸２７には付勢バネ２０を装着し、その一端を支軸２７に他端をバネ支持枠２１にそれぞれ係止して、揺動ラッチ片２５の先端をラッチ爪２側つまり外側に向け向け回動付勢する。
【００１４】
バネ支持枠２１の構造は、図５に示すように、水平断面が矩形で内部に後方が開口する空間部を有し、この空間部外周の後端開口近傍に外側に突出するフランジ部を備え、そのフランジ部後方には上下に係止爪２２ａ，２２ａを設けた係止部２２を形成するとともに、前記フランジの前方側上下面には支軸２７を装着する軸穴が貫通形成されてなる。このバネ支持枠２１の係止部２２を、引き出し３の側板３ｄ外側の前板３ａの裏板３ｃに貫通形成した係止穴２３に内方から後方に向けて押し込み装着し、係止爪２２ａで係止固定する。そして、付勢バネ２０および揺動ラッチ片２５の基端部をバネ支持枠２１の後方開口部から挿入し、バネ支持枠２１の軸穴から支軸２７を装着して揺動ラッチ片２５を支軸２７に一体的に固定するとともに、付勢バネ２０に付勢力を与えてその一端を支軸２７に他端をバネ支持枠２１の内部にそれぞれ係止する。これにより、支軸２７の操作レバー２８を従動軸１５端部の鉤状部１８で前後に回転させると、揺動ラッチ片２５は先端を左右に揺動するように支持され、且つ付勢バネ２０で先端がラッチ爪２側に向け回動するように付勢される。
【００１５】
一方、引き手６は、垂直の棒状の中間部材６ａと端部部材７，７とで構成され、中間部材６ａの両端に引き手レバー８，８の先端をそれぞれ取り付けた後に中間部材６ａの上下端にそれぞれ端部部材７，７を装着する。なお、引き手６の中間部材６ａは、水平断面が前端６ｂを底辺とし後側面６ｃ，６ｃを左右の２辺とする略２等辺三角形になるように形成すると好ましい。また、引き出し３の前板３ａの引き手６の位置する部分の前面には、側面が後方傾斜する傾斜側面４ａ，４ａとその奧に前板３ａの表板３ｂと平行な底部４ｂとを有してなる垂直の凹部４を前板３ａの上下端近傍に亘って形成し、引き手の後端側の一部が凹部４に没する形態で引き手６を取り付けると好ましい。
【００１６】
つぎに、上記の構成からなる引き手機構５の作用を説明する。引き出し３が収納庫１の筐体１ａに押し込まれた状態においては、付勢バネ２０の作用により引き手機構５の揺動ラッチ片２５のラッチ爪係合部２６がラッチ爪２に係合して引き出し３の飛び出しを規制するとともに、引き手６は、後側面６ｃ側の一部が引き出し前板３ａの中央凹部４に没する状態で端部部材７，７の当接端面７ａ，７ａが前板３ａの表板３ｂ上下端部に当接している。この状態で引き手６の中間部材６ａの適宜の箇所を左右いずれかの手で手前に引くと、引き手レバー８，８が限定的に前方回動し、引き手レバー８，８の後端に固着した連結バー９の後端面が後方に回動し、連結バー９に当接している従動軸１５のクランク部１７が図５の矢印方向に回転する。これにより、従動軸１５両端の鉤状部１８，１８が揺動ラッチ片２５の支軸２７の操作レバー２８を図５の矢印方向に回動して揺動ラッチ片２５，２５の先端を内方に回動させ、ラッチ爪係合部２６とラッチ爪２との係合が解除され、引き出し３は前方に引き出される。
【００１７】
左右の揺動ラッチ片２５，２５が１本の従動軸１５の両端鉤状部１８，１８で互いに同じ角度連動回動するため、引き手６は上下いずれの位置に手を掛けて引いても揺動ラッチ片２５，２５とラッチ爪２，２との係合ロックは同期解除される。また、引き手６の後端面６ｃ，６ｃは、前板３ａの凹部４の傾斜側面４ａ，４ａおよび底部４ｂとの間にそれぞれ適宜の隙間を隔てて位置しているので、左右いずれの側からでも、或いは左右いずれの手を用いても支障無く手を掛けて引く事が可能である。
【００１８】
引き出し３を押し込む際は、前板３ａを押し込むと、その押し込み行程の途中で、揺動ラッチ片２５，２５の尖鋭の先端部外側傾斜面がラッチ爪２、２の前方傾斜面と接触して内方に押し戻され、引き出し３が押し込み行程端に押し込まれると各ラッチ爪係合部２６がラッチ爪２と一致して付勢バネ２０，２０の作用で揺動ラッチ片が外方に回動し、ラッチ爪係合部２６の穴前端がラッチ爪２の後端とそれぞれ係合し、引き出し３が飛び出さないようにロック保持される。
【００１９】
つぎに、図示は省略するが、前述の実施例とは異なる形態の実施例について以下に説明する。まず、引き手６については、中間部材６ａを水平断面が２等辺三角形の形状にせず適宜の形状としてもよい。また引き出し３は、引き手の位置に前面が後退する垂直の凹部を設けずフラットな前面にしてもよい。その場合、引き手の中間部材６ａの位置する前板３ａの表板３ｂと引き手６の中間部材６ａとの間に適宜の隙間が生じるようにする。ただし前述の説明のように前板３ａに凹部４を設け、その凹部４に引き手中間部材６ａの後端側の一部が没する様にすると、引き手の前板３ａ前方への出っ張りが少なく邪魔にならず且つ意匠的にも美観が創出されて都合がよい。
【００２０】
ラッチ機構は、前述の構造とは異なり、従動軸のクランク部１７と引き手レバー８後端の連結バー９との当接部を上下方向に移動可能なルーズな嵌合で係合する構造にし、或いは更に、従動軸の鉤状部１８と揺動ラッチ片２５の操作レバー２８との当接部を互いにルーズな嵌合で係合する構造にしてもよい。前記両当接部を全て前記のようにルーズな嵌合で係合する構造にした場合、付勢バネ２０は、いずれか一方の揺動ラッチ片２５に設けるかまたは従動軸に１個設け、構成部材数を少なくすることができる。また、従動軸およびそのクランク部１７は、図示の形態とは異なり、水平軸部の中央部に該軸部と直交方向にクランクレバーを固定的に取り付け、そのクランクレバーの先端部を引き手レバー８，８を連結する連結バー９の後端面に当接させるか或いは上下方向に異動可能なルーズな嵌合で連結した構造にしてもよい。
【００２１】
つぎに、図６には、図１に示す引き出し式収納庫１、および、その引き出し３の前板３ａに備えた引き手６と同様の形の引き手３２を両開き扉３１，３１の中央めし合わせ部に扉のほぼ上下端に亘ってめし合わせ部を覆うように取り付けた形態からなる両開き扉付き収納庫３０を、上下に積み重ねた状態でその外観を示す。本発明に係る引き出し式収納庫の引き手機構の引き手と同様な引き手を図６に示す形態で両開き扉付き収納庫の扉のめし合わせ部を覆う形態で取り付けると、上下の収納庫の引き手が収納庫の中央で垂直一直線配置され上下の引き手のデザインが調和し、新しい意匠的美観を創出することができて都合がよい。
【００２２】
【発明の効果】
以上にしてなる請求項１に係る発明の引き出し式収納庫の引き手機構は、引き出しの前板内部の中央部上下端近傍にそれぞれ中間部を前後回動可能に支持された水平の１対の引き手レバーと、前板の前方中央に位置し且つ前板との間に隙間を隔てて上下引き手レバーの先端同士を連結する垂直の引き手と、前板内部に水平に支持されて引き手レバー後端側の揺動に連動して回転し引き出しの左右端近傍に亘る従動軸と、従動軸の回転に連動して左右揺動可能に引き出しの左右側板部近傍に支持された揺動ラッチ片と、収納庫側壁の内面に設けられ揺動ラッチ片と係合する係止部材の側に向け揺動ラッチ片を付勢する付勢手段とを有する構成としたので、複数段の横長の引き出しを有する収納庫の各引き出しの引き手が、中央に垂直一直線上に配列され、意匠的美観が創出されるとともに、人の身長や引き出しの高さに応じ、引き手の上下方向の適宜の位置を掴んで引いても左右のラッチ機構が連動して解除され引き出しを引き出すことができるとともに、左右いずれの方向からでも引き手に手を掛けて片手で操作が行えるといった作用効果がある。そして、引き出し式収納庫に、両開き扉のめし合わせ部のほぼ全域を覆う垂直の引き手を備えた両開き扉型収納庫を積み重ねる場合は、この両開き扉型収納庫と引き出し式収納庫のそれぞれの引き手が中央で垂直の一直線に並び、均整のとれた統一美を創出するといった作用効果がある。
【００２３】
請求項２に係る発明の引き出し式収納庫の引き手機構は、引き手の上下端部を除く中間部を、水平断面が前端を底辺とする略２等辺三角形になるように形成したので、引き出し前板と引き手の間の隙間に手を挿入しやすく、水平断面が偏平な二等辺三角形にすると軽量で且つ強度的にも安定した構造となり、しかも前方への出っ張りが少なく意匠的美観が創出されるなどの作用効果がある。
【００２４】
請求項３に係る発明の引き出し式収納庫の引き手機構は、引き出し前板の引き手が位置する部分の前面に、側面が後方傾斜する垂直の凹部を前板の上下端近傍に亘って形成し、引き手の後端側の一部が前記凹部に没する形態で引き手を取り付けたので、引き出しの前板面からの引き手の突出量を少なくして、邪魔にならず且つ美的外観を創出させる作用効果がある。
【００２５】
請求項４に係る発明の引き出し式収納庫の引き手機構は、引き手レバーを、互いの後端同士を垂直の連結バーで連結し、従動軸を、両端が水平の軸部の中間にクランク部を有し且つ両軸端にそれぞれ前記軸部にほぼ直交する鉤状部をそれぞれ有する敬体とし、クランク部が引き手レバーの連結バーと当接して引き手操作時の連結バーの前後揺動に伴って従動軸が回転する様に支持する一方、揺動ラッチ片には揺動支持部材から側方に突出する操作レバーを設け、該操作レバーに従動軸の鉤状部が当接して従動軸の回転に応じて揺動ラッチ片が左右揺動するようにしたので、引き手の上下方向のどの位置を引いても、即ち上下の引き手レバーの回動角度が一致しなくても、左右のラッチ機構が互いに正確に同期作動し、且つ、左右の揺動ラッチ片に付勢力が均等に作用して揺動ラッチ片のラッチの係脱作動を安定させるなどの作用効果がある。
【図面の簡単な説明】
【図１】本発明に係る引き手機構を備えた引き出し式収納庫の全体斜視図である。
【図２】図１の引き出しの引き手機構の実施例の上端側を側面から見た状態で示し、図３のＢ−Ｂ矢線に沿う断面図である。
【図３】図１の引き出しの引き手機構の実施例の上端側を上方から見た状態で示し、図２のＡ−Ａ矢線に沿う断面図である。
【図４】図１の引き出しの引き手機構の実施例のうち前板内部の従動軸部を正面側から見た状態で示し、図２の左方から見た図である。
【図５】上記実施例の引き手機構の構成部材を展開して示す斜視図である。
【図６】図１に示す収納庫、およびその扉に備えた引き手と同形態の引き手を備えた両開き扉付き収納庫を、上下に積み重ねた際の外観を示す参考図である。
【符号の説明】
１  引き出し式収納庫（収納庫）
１ａ  筐体
１ｂ  側壁内板
１ｃ  ラッチ爪取付部
２  ラッチ爪
３  引き出し
３ａ  前板
３ｂ  表板
３ｃ  裏板
３ｄ  側板
４  凹部
４ａ  傾斜側面
４ｂ  底部
５  引き手機構
６  引き手
６ａ  中間部材
６ｂ  前端
６ｃ  後側面
７  端部部材
７ａ  当接端面
８  引き手レバー
８ａ  貫通孔
８ｂ  ネジ
９  連結バー
１０  引き手支持部材
１１  ピン
１５  従動軸
１６  軸支持部材
１７  クランク部
１８  鉤状部
２０  付勢バネ
２１  バネ支持枠
２２  係止部
２２ａ  係止爪
２３  係止穴
２５  揺動ラッチ片
２６  ラッチ爪係合部
２７  支軸
２８  操作レバー
３０  両開き扉を備えた収納庫
３１  扉
３２  引き手
【図１】
0003729182.tif 000002
【図２】
0003729182.tif 000003
【図３】
0003729182.tif 000004
【図４】
0003729182.tif 000005
【図５】
0003729182.tif 000006
【図６】
0003729182.tif 000007